(57)【要約】【課題】良好な外観を呈するとともに、除去したり撤去したりすることにより開封済みの容器と別個に取り扱う必要のある部分が発生しない改ざん防止機能付きヒンジキャップを提供する。【解決手段】蓋本体部５の前端側外周壁１０ａに形成される、閉止状態の上蓋７を開放操作するための指掛け用凹所２３と、指掛け用凹所内に、前端側外周壁の外側表面に沿うように、かつ、蝶番部２４を介して前端側外周壁と一体に形成され、指掛け用凹所を封鎖する改ざん防止部材２１と、改ざん防止部材を離脱自在に保持する保持部２７と、押圧操作により保持部から離脱され、蝶番部を支点にヒンジ回転されて指掛け用凹所の内方に押し込まれる改ざん防止部材を、指掛け用凹所の内方に固定する固定部２８とを備えた。【選択図】図１
2007045421.tif 000002
【特許請求の範囲】
【請求項１】
容器本体の首部に取り付けられて内容物の注出口を形成する蓋本体部と、該蓋本体部の後端側に設けられたヒンジを介して当該蓋本体部と一体的に形成されて上記注出口を開閉する上蓋とを備えたヒンジキャップであって、
上記蓋本体部の前端側外周壁に形成される、閉止状態の上記上蓋を開放操作するための指掛け用凹所と、
該指掛け用凹所内に、上記前端側外周壁の外側表面に沿うように、かつ、蝶番部を介して当該前端側外周壁と一体に形成され、上記指掛け用凹所を封鎖する改ざん防止部材と、
該改ざん防止部材を離脱自在に保持する保持部と、
押圧操作により上記保持部から離脱され、上記蝶番部を支点にヒンジ回転されて上記指掛け用凹所の内方に押し込まれる上記改ざん防止部材を、当該指掛け用凹所の内方に固定する固定部と
を備えたことを特徴とする改ざん防止機能付きヒンジキャップ。
【発明の詳細な説明】
【技術分野】
【０００１】
本発明は、良好な外観を呈するとともに、除去したり撤去したりすることにより開封済みの容器と別個に取り扱う必要のある部分が発生しない改ざん防止機能付きヒンジキャップに関する。
【背景技術】
【０００２】
従来より、容器を不正に開封したり、内容物に異物を混入したりすることを防止するための改ざん防止機能を有するヒンジキャップに関する技術として、例えば特許文献１、２に開示されたものが知られている。
【０００３】
特許文献１の「改ざん防止機能付きヒンジキャップ」は、容器本体の首部に取り付けられ、蓋本体と上蓋とをヒンジ部を介して一体に形成したヒンジキャップであって、蓋本体の側面の上端に、全周にわたって蓋本体から除去可能なリング状の改ざん防止部材（「ガード片」）が形成されている。改ざん防止部材の内周部と上蓋外周壁のそれぞれには、互いに嵌合し合う係合凸部および係合凹部が形成されるとともに、上蓋の側面には上部がフランジ部で下部が小径部となる段差が形成され、小径部は改ざん防止部材の内側に嵌め込まれ、フランジ部は改ざん防止部材と同径もしくは改ざん防止部材より小径に形成されることを特徴とする。この改ざん防止機能付きヒンジキャップを開封する際には、まず改ざん防止部材の一部に突出形成されたプルタブを引っ張ることにより、蓋本体の側面上端と改ざん防止部材との間に形成された切り取り部を切断し、改ざん防止部材を除去する。すると上蓋のフランジ部に指を掛けて開放操作するための指掛け用空間を形成する小径部が露出するので、フランジ部に指を掛けて持ち上げることができ、上蓋を開放することができる。
【０００４】
特許文献２の「バージン機構付きヒンジキャップ」は、容器本体首部に取り付けられて内容物の注出口を形成する下蓋と、下蓋の後端部にヒンジを介して一体形成されて注出口を開閉自在に閉塞する上蓋とを備え、上蓋外周面の下端部と下蓋外周面の上端部にまたがるリング状の改ざん防止部材（「リング部品」）を備えた改ざん防止機能付きヒンジキャップである。下蓋の上面後端側のヒンジ付近には、リング状の改ざん防止部材の後端部である差し込み片部を差し込む差し込み溝が形成されている。下蓋の外周面上端には、差し込み溝の両端から前端側へと円環状に連なる第１段差部が凹設され、さらに下蓋外周面の前端部には、閉止状態の上蓋の開閉端下縁に露出させて上蓋開放操作時に指掛け部となす凹所が形成されている。上蓋の外周面下端には、上蓋の閉止状態において下蓋の第１段差部に連なる第２段差部が凹設されている。リング状の改ざん防止部材は、上記差し込み片部と、差し込み片部から前端側へ円環状に連なり上記第１、第２段差部にまたがって嵌着される周回片部とから構成され、周回片部の内側面と第１、第２両段差部の外側面とには、互いに係合し合う突起と係合孔とが形成されている。さらに改ざん防止部材の前端部には、２本の縦長の切断用薄膜部により囲繞された切り裂き片が形成されており、切り裂き片の下方には、切り裂き片を切断操作する際に摘むためのプルタブ（「掴み片」）が突設されている。開封する際にはまず、プルタブを摘みつつ上方に起こすことによって薄膜部を切り裂き、切り裂き片を除去する。すると切り裂き片の左右に続いていた周回片部を十分に押し開くことができ、上蓋指掛け用の凹所が十分に露出するとともに、上下２段に設けられた各突起と第１、第２両段差部に設けられた各係合孔との係合が解除されるので、上蓋を開放することができる。上蓋開放後、改ざん防止部材の切り裂き片以外の部分である周回片部および差し込み片部を上方に引き抜き、撤去する。
【特許文献１】特開２００１−１７１７１３号公報
【特許文献２】特開２００１−３１５８２０号公報
【発明の開示】
【発明が解決しようとする課題】
【０００５】
ところで、上記各背景技術にあってはいずれも、外観上不良な箇所を生ずるという問題点があった。以下に、具体的に示す。
【０００６】
特許文献１においては、改ざん防止部材を除去した部分に、ヒンジキャップの全周にわたって上蓋の小径部と、さらには小径部上に形成された係合凹部が露出されてしまっていた。また特許文献２においては、改ざん防止部材を撤去した後、ヒンジキャップのほぼ全周にわたり、上蓋の下端から下蓋の上端にまたがる第１、第２両段差部と、さらには両段差部上に形成された係合孔が露出されてしまっていた。これら、特許文献１における小径部や係合凹部、特許文献２における両段差部や係合孔など、専ら改ざん防止部材と係合するために使用される部分が開封後に露出してしまうことは、外観上、著しい違和感を生じさせてしまっていた。
【０００７】
また、特許文献１においては、全周にわたって切り取り部を切り裂いて改ざん防止部材を除去するがゆえに、比較的長い寸法にわたる切断箇所が露出されてしまっていた。手で切り裂くことにより生じる切断箇所にはバリのような細片が発生するなど見栄えが悪く、このような切断箇所が開封後に露出してしまうこと、しかも比較的長い寸法にわたって露出してしまうことは、外観上、著しく不良な印象、あるいは違和感を生じさせてしまっていた。
【０００８】
さらには、上記いずれの背景技術にあっても、改ざん防止部材の、除去あるいは撤去された部分を、廃棄などの処分をするため開封済みの容器と別個に取り扱う必要があり、非常に不便であった。具体的には、特許文献１においては除去された改ざん防止部材を、特許文献２においては切断除去された切り裂き片および撤去された改ざん防止部材の残りの部分を、容器と別個に取り扱う必要があった。
【０００９】
本発明は上記従来の課題に鑑みて創案されたものであって、良好な外観を呈するとともに、除去したり撤去したりすることにより開封済みの容器と別個に取り扱う必要のある部分が発生しない改ざん防止機能付きヒンジキャップを提供することを目的とする。
【課題を解決するための手段】
【００１０】
本発明にかかる改ざん防止機能付きヒンジキャップは、容器本体の首部に取り付けられて内容物の注出口を形成する蓋本体部と、該蓋本体部の後端側に設けられたヒンジを介して当該蓋本体部と一体的に形成されて上記注出口を開閉する上蓋とを備えたヒンジキャップであって、上記蓋本体部の前端側外周壁に形成される、閉止状態の上記上蓋を開放操作するための指掛け用凹所と、該指掛け用凹所内に、上記前端側外周壁の外側表面に沿うように、かつ、蝶番部を介して当該前端側外周壁と一体に形成され、上記指掛け用凹所を封鎖する改ざん防止部材と、該改ざん防止部材を離脱自在に保持する保持部と、押圧操作により上記保持部から離脱され、上記蝶番部を支点にヒンジ回転されて上記指掛け用凹所の内方に押し込まれる上記改ざん防止部材を、当該指掛け用凹所の内方に固定する固定部とを備えたことを特徴とする。
【発明の効果】
【００１１】
本発明にかかる改ざん防止機能付きヒンジキャップにあっては、良好な外観を呈するとともに、除去したり撤去したりすることにより開封済みの容器と別個に取り扱う必要のある部分が発生しない。
【発明を実施するための最良の形態】
【００１２】
以下に、本発明にかかる改ざん防止機能付きヒンジキャップの好適な実施形態を、添付図面を参照して詳細に説明する。第１の実施形態にかかる改ざん防止機能付きヒンジキャップ１（以下、単にヒンジキャップ１という）は基本的には、図１〜５に示すように、容器本体２の首部３に取り付けられて内容物の注出口４を形成する蓋本体部５と、蓋本体部５の後端側に設けられたヒンジ６を介して蓋本体部５に一体的に形成されて注出口４を開閉自在に開閉する上蓋７とから構成される。容器本体２は、平面形状がほぼ正方形の胴部８と、平面視で胴部８のほぼ中央に配置される円筒状の首部３と、胴部８と首部３とを連繋する傾斜面からなる肩部９とから構成されている。
【００１３】
ヒンジキャップ１の外形輪郭は、その平面形状が容器本体２の胴部８に沿ったほぼ正方形である。ヒンジキャップ１の外側表面と容器本体２胴部８の外側表面とは、互いにほぼ面一に形成されている。ヒンジキャップ１や容器本体２胴部８の平面形状は正方形に限定されるものではなく、円形など他の形状も可能である。ヒンジキャップ１は、ポリエチレンなどの合成樹脂により成形される。容器本体２は、合成樹脂やガラスなど様々な素材によるものが適用可能である。
【００１４】
蓋本体部５は概ね、ほぼ正方形筒状の外周壁１０と、外周壁１０の上端に連続させて外周壁１０のすぐ内方に形成された平板状の天井部１１とから構成される。天井部１１は、その下面が外周壁１０の上端とほぼ同一の高さ位置になるよう形成されている。天井部１１の中央には、容器本体２の内容物を取り出すための注出口４が上面側に突出させて形成されている。円筒状の注出口４の外周面の上部には、外向き鉤状の第１フック部１２が形成されている。
【００１５】
天井部１１下面側の、中央と外周端部のほぼ中間の位置には、容器本体２の首部３と互いに嵌合し合う円筒状の第１嵌合部１３が一体的に垂下形成されている。第１嵌合部１３の内周面には、首部３の外周面上に形成された環状凸部１４と係合し合う環状凹部１５が形成されている。
【００１６】
蓋本体部５の後端側外周壁１０ｂの上端には、その中央部分に薄肉ヒンジ６（以下、単にヒンジ６という）が形成されており、蓋本体部５と上蓋７とをヒンジ結合している。
【００１７】
上蓋７は概ね、その外側表面が蓋本体部５の外周壁１０の外側表面とほぼ面一に形成された第２外周壁１６と、第２外周壁１６の上端を覆うように一体形成された平板状の天板部１７とから構成される。天板部１７の下面側中央には、上蓋７の閉止状態において蓋本体部５の注出口４と互いに嵌合し合う円筒状の第２嵌合部１８が垂下形成されている。第２嵌合部１８の内周面下端には内向き鉤状の第２フック部１９が形成されており、注出口４の第１フック部１２と互いに係合する。ここで、上蓋７の第２外周壁１６の外側表面は必ずしも蓋本体部５の外周壁１０の外側表面と面一でなくともよく、指を掛けて上蓋７を開放することができない形状であればよい。例えば、上蓋７の第２外周壁１６の外側表面が蓋本体部５の外周壁１０よりも内方に位置していてもよい。
【００１８】
また、上蓋７の前端側第２外周壁１６ａの下端中央部には、上蓋７の閉止状態において下方に突出するように一体形成されてフック片２０が設けられている。フック片２０の下端中央部に形成されたフック凹所２０ａの下端には、後述する改ざん防止部材２１の第４フック部２２と係合し合う後端向き鉤状の第３フック部２０ｂが形成されている。
【００１９】
蓋本体部５の前端側には、前端側外周壁１０ａと、上蓋７の第１嵌合部１３の外周面の前端側１３ａとの間に、閉止状態の上蓋７を開放操作するための指掛け用凹所２３が形成されている。ヒンジキャップ１の使用者は、この指掛け用凹所２３内に親指などを挿入し、閉止状態の上蓋７の前端側第２外周壁１６ａの下端部に指を掛けて持ち上げることにより上蓋７を開放することができる。
【００２０】
ただしこの指掛け用凹所２３は、ヒンジキャップ１の開封前の状態においては、改ざん防止部材２１が設けられることにより封鎖されている。改ざん防止部材２１は、前端側外周壁１０ａの中央部に形成されたほぼ矩形の切り欠き部にぴったりと沿うような形状であり、前端側外周壁１０ａの外側表面に沿う位置に、かつ、その下端部が薄肉に形成された蝶番部２４を介して前端側外周壁１０ａと一体に形成されて設けられている。また、改ざん防止部材２１の前後方向の厚さ寸法は前端側外周壁１０ａと同一であり、改ざん防止部材２１の外側表面は、開封前の状態にあっては、前端側外周壁１０ａの外側表面と面一となるよう形成されている。ここで、改ざん防止部材２１の外側表面は、開封前の状態において、前端側外周壁１０ａの外側表面と必ずしも面一でなくともよく、少なくとも指掛け用凹所２３内に指を挿入して上蓋７を開放操作することができないように配置されていればよいのであって、例えば、前端側外周壁１０ａの外側表面よりも若干外方や内方に位置していてもよい。
【００２１】
改ざん防止部材２１は、より具体的には、その下端が前端側外周壁１０ａとの間に切り欠き形成された横スリット２５により画定されている。横スリット２５の中央には薄肉に形成された蝶番部２４が設けられ、前端側外周壁１０ａと改ざん防止部材２１の下端部とを一体に連結している。改ざん防止部材２１の左右の両側端は、前端側外周壁１０ａを縦長に切り欠いて形成された縦スリット２６により画定されている。両縦スリット２６の上端は前端側外周壁１０ａの上端まで達しているので、改ざん防止部材２１は、下端の蝶番部２４を支点に、かつ上端を自由端として、指掛け用凹所２３の内方（後端側）にヒンジ回転可能となっている。
【００２２】
改ざん防止部材２１は、開封前の状態にあっては、保持部２７により前端側外周壁１０ａの外側表面に沿う位置に係脱自在に係合保持されている。本実施形態における左右の両保持部２７は、前端側外周壁１０ａと改ざん防止部材２１とをつなぐ、わずかな断面積の突起状、もしくは糸状であるので、改ざん防止部材２１を押圧操作することによって容易に破断させることができる。なお、保持部２７は、改ざん防止部材２１への押圧操作により破断可能なものであればよく、その範囲内であれば断面積などは、本実施形態のものよりも若干大きいものであっても構わない。両保持部２７は、両縦スリット２６の上端付近に形成されている。また、両保持部２７の長さ寸法、すなわち横方向の寸法は縦スリット２６の幅寸法と同一となるが、両縦スリット２６の幅寸法は非常に小さく、例えば０．５〜１ｍｍ程度に形成されているため、両保持部２７の長さ寸法も非常に小さい。また、上述のごとく両保持部の断面形状も小さいので、両保持部２７は外観上、ほとんど外方から目立つことがないため好ましい。また、開封前の状態のみならず、開封後、すなわち改ざん防止部材２１の上端側が指掛け用凹所２３の内方へと押し込まれた状態においても同様に、両保持部２７はほとんど目立たないため、外観上非常に好ましい。
【００２３】
ここで、保持部の構成は、本実施形態のものに限定されるわけではなく、少なくとも開封前において、改ざん防止部材２１を指掛け用凹所２３の、前端側外周壁１０ａの外側表面に沿う位置に離脱自在に保持するものであればよい。例えば、改ざん防止部材２１や前端側外周壁１０ａと別体に形成されて接合されていてもよい。また、縦スリット２６内に設けられるのではなく、縦スリット２６の後端側に、前端側外周壁１０ａの後端側面から改ざん防止部材２１の後端側面にさしかかるように突出させて形成してもよい。後者の場合、改ざん防止部材２１を指掛け用凹所２３の内方へと押圧操作する際には、改ざん防止部材２１が後端側に移動することによってまず保持部を後方へと弾性変形させ、さらに後端側に移動することによって保持部を乗り越えることにより離脱することとすればよい。このような場合、保持部を破断させる必要がないため、保持部の形状としては、断面積、長さ寸法ともに、必ずしも本実施形態の保持部２７のように小さくなくともよい。
【００２４】
また、改ざん防止部材２１の上端中央部には、上方に突出された前端向き鉤状の第４フック部２２が設けられており、上記の、上蓋７前端側第２外周壁１６ａの下端に設けられた第３フック部２０ｂと、上蓋７の閉止状態、かつ改ざん防止部材２１の開封前の状態において互いに係合し合う。この第３フック部２０ｂと第４フック部２２との係合状態は、互いの鉤状部分が上下方向に係合しており前後方向には係合していない（図４（ｂ）参照）ので、開封前の状態において上蓋７が上方へと開放されてしまう動きは防止するが、改ざん防止部材２１の上端側が押圧操作を受けて内方へと移動する動きは許容する。
【００２５】
また、蓋本体部５の天井部１１の、下面側前端部には下方に突出させて、指掛け用凹所２３の内方へと押し込まれた改ざん防止部材２１の上端側を、指掛け用凹所２３の外側開口部側へと戻ってしまわないよう固定する固定部２８が設けられている。この固定部２８は具体的には、押し込まれた改ざん防止部材２１の上端に形成されている第４フック部２２の、鉤状に形成された部分に係合することによって、改ざん防止部材２１を固定する。
【００２６】
次に、本実施形態にかかる改ざん防止機能付きヒンジキャップ１の作用について説明する。ヒンジキャップ１の製造時においては、蓋本体部５と上蓋７とが一体的に樹脂成形され、また蓋本体部５には改ざん防止部材２１が蝶番部２４を介して一体的に樹脂成形される。このヒンジキャップ１を容器本体２に組み付ける際には、まず上蓋７の第２嵌合部１８を蓋本体部５の注出口４に嵌合させるとともに、上蓋７の第３フック部２０ｂを改ざん防止部材２１の第４フック部２２に係合させることによって上蓋７を閉止する。次いで、蓋本体部５の第１嵌合部１３を容器本体２の首部３に嵌合させ、組付けを完了する（図２、図４参照）。
【００２７】
容器を購入した使用者などが容器本体２の内容物を注出するためには、まず、指掛け用凹所２３に設けられて当該指掛け用凹所２３を封鎖している改ざん防止部材２１を、外方から押圧操作することにより、指掛け用凹所２３を開封する。具体的には、押圧操作により両保持部２７を破断させ、さらに改ざん防止部材２１を押し込むことによって、改ざん防止部材２１下端の蝶番部２４を支点に改ざん防止部材２１の上端側をヒンジ回転させ、指掛け用凹所２３の内方へと押し込む。押し込まれた改ざん防止部材２１は、第４フック部２２が蓋本体部５の固定部２８に係止されることによって、指掛け用凹所２３の内方に固定される。このようにして指掛け用凹所２３を開封することにより、当該指掛け用凹所２３に手指を挿入して上蓋７を開放操作することが可能となる（図３、図５参照。図５は上蓋を省略するなど概略的に描いている。）。
【００２８】
以上説明したように、本実施形態の改ざん防止機能付きヒンジキャップ１にあっては、容器本体２の首部３に取り付けられて内容物の注出口４を形成する蓋本体部５と、蓋本体部５の後端側に設けられたヒンジ６を介して蓋本体部５と一体的に形成されて注出口４を開閉する上蓋７とを備え、蓋本体部５の前端側外周壁１０ａに形成される、閉止状態の上蓋７を開放操作するための指掛け用凹所２３と、指掛け用凹所内２３に、前端側外周壁１０ａの外側表面に沿うように、かつ、蝶番部２４を介して前端側外周壁１０ａと一体に形成され、指掛け用凹所２３を封鎖する改ざん防止部材２１と、改ざん防止部材２１を離脱自在に保持する保持部２７と、押圧操作により保持部２７から離脱され、蝶番部２４を支点にヒンジ回転されて指掛け用凹所２３の内方に押し込まれる改ざん防止部材２１を、指掛け用凹所２３の内方に固定する固定部２８とを備えることとしたので、改ざん防止部材２１やその一部を切り裂いたり、切り裂いた部分を除去したり、かつまた改ざん防止部材２１全体を開封後に撤去したりする必要が一切無く、押圧操作により改ざん防止部材２１を指掛け用凹所２３の内方に押し込むだけで上蓋７を開放可能とするので、従来のように、専ら改ざん防止部材と係合するために使用される部分が露出してしまったり、見栄えの悪い切断箇所が発生したりすることがなく、良好な外観を呈することが可能である。
【００２９】
また従来は、改ざん防止部材の、除去あるいは撤去された部分を、廃棄などの処分をするため開封済みの容器と別個に取り扱う必要があり、非常に不便であったが、本実施形態のヒンジキャップ１にあっては、改ざん防止部材２１を指掛け用凹所２３内方に押し込むだけでよく、除去したり撤去したりすることにより開封済みの容器と別個に取り扱う必要のある部分が発生しないため、非常に便利である。
【００３０】
また、特に本実施形態にあっては、改ざん防止部材２１が蝶番部２４を介して蓋本体部５の前端側外周壁１０ａと一体に形成されることとしたので、改ざん防止部材をヒンジキャップと別体に形成して別個に組み付ける場合に比して、組み付け作業の手間や製造コストの面で有利である。
【００３１】
また、従来の技術では、切り取り部や切り裂き片などの切断箇所を切断操作するために切断箇所の一部にいわゆるプルタブを設ける必要があった。プルタブは通常改ざん防止部材の開封時に除去されてしまうが、開封前の状態において、ヒンジキャップの外形輪郭よりも外方へと突出させて設けられるため、形状的にスマートさを欠くなど見栄えが悪く、外観上好ましくなかった。これに対し本実施形態の改ざん防止機能付きヒンジキャップ１では、切断操作すべき部分が一切無いのでプルタブが必要ないため、開封前の状態においても従来と比較して良好な外観を呈することが可能である。
【００３２】
図６、７には、本発明にかかる改ざん防止機能付きヒンジキャップ１の第２実施形態が示されている。図７は、上蓋を省略するなど概略的に描いている。第１実施形態と同一の構成要素については同一の符号を付し、説明を省略する。第２実施形態にあっては、上蓋７の前端側第２外周壁１６ａの下端中央部は、フック片が垂下形成されておらず、第２外周壁１６の他の部分の下端と一連に平坦に形成されている。従ってフック片のフック凹所、およびフック凹所内に形成されていた第３フック部も設けられていない。同様に、改ざん防止部材２１の上端中央部には、第４フック部が設けられておらず、改ざん防止部材２１の上端は、両縦スリット２６を挟んで前端側外周壁１０ａの上端と一連に平坦に形成されている。その結果、上蓋７の閉止状態において、前端側第２外周壁１６ａの下端と改ざん防止部材２１の上端とは互いに、単に当接し合うだけであり、係合し合うことはない（図６参照）。また、蓋本体部５の天井部１１の下面側前端部には、第１実施形態と同様の固定部２８が設けられており、指掛け用凹所２３の内方へと押し込まれた改ざん防止部材２１は、その上端角部が固定部２８に係合されて、指掛け用凹所２３内に固定される。このような第２実施形態のヒンジキャップ１にあっても、上記第１実施形態と同様の作用効果を奏することはもちろんである。特に、この第２実施形態にあっては、改ざん防止部材２１と上蓋７の前端側第２外周壁１６ａとを係合させる必要がないので、ヒンジキャップ１の組み付け作業時、上蓋７を閉止する際に、誤って改ざん防止部材２１に押圧力を加えてしまい、指掛け用凹所２３の内方へと押し込んでしまうこと、すなわち誤ってヒンジキャップ１を開封してしまうことを防止することができる。
【図面の簡単な説明】
【００３３】
【図１】本発明にかかる改ざん防止機能付きヒンジキャップの第１実施形態を示す斜視図である。
【図２】図１の改ざん防止機能付きヒンジキャップの正面図である。
【図３】図１の改ざん防止機能付きヒンジキャップの、改ざん防止部材を押し込んだ状態の斜視図である。
【図４】図１の改ざん防止機能付きヒンジキャップの、改ざん防止部材を押し込む前の状態を示す、（ａ）は（ｂ）のＡ−Ａ線による断面、（ｂ）は縦断面の図である。
【図５】図１の改ざん防止機能付きヒンジキャップの、改ざん防止部材を押し込んだ後の状態を示す、（ａ）は（ｂ）のＢ−Ｂ線による断面、（ｂ）は縦断面の図である。
【図６】本発明の改ざん防止機能付きヒンジキャップの第２実施形態に係り、改ざん防止部材を押し込む前の状態を示す、（ａ）は（ｂ）のＣ−Ｃ線による断面、（ｂ）は縦断面の図である。
【図７】図６の改ざん防止機能付きヒンジキャップの、改ざん防止部材を押し込んだ後の状態を示す、（ａ）は（ｂ）のＤ−Ｄ線による断面、（ｂ）は縦断面の図である。
【符号の説明】
【００３４】
１      改ざん防止機能付きヒンジキャップ
２      容器本体
３      首部
４      注出口
５      蓋本体部
６      ヒンジ
７      上蓋
１０ａ  （蓋本体部の）前端側外周壁
２１    改ざん防止部材
２３    指掛け用凹所
２４    蝶番部
２７    保持部
２８    固定部
【図１】
2007045421.tif 000003
【図２】
2007045421.tif 000004
【図３】
2007045421.tif 000005
【図４】
2007045421.tif 000006
【図５】
2007045421.tif 000007
【図６】
2007045421.tif 000008
【図７】
2007045421.tif 000009